(57)【要約】【課題】　不正な改造が行われやすかった。【解決手段】　蓋体の一部となる突出片１０と、筺体本体の一部となるナット保持部２０とは、筺体本体に蓋体を装着したときに対面するように形成されており、ナット保持部２０に鋼球５０を収容しつつインサートナット４０を嵌入せしめた状態で、先端に屈曲部位としての筒型壁部３２ｂを形成したネジ３０を螺合していくと、同筒型壁部３２ｂが鋼球５０に突き当てられて押し開かれるため、ネジ３０を緩めようとするときには大きなトルクを要するようになり、かつ、ネジ３０の頭部３１にはワンウェイ切り溝３１ａを形成しているので十分なトルクがかけられず、実質的にネジ３０を緩めることはできない。また、鋼球５０は樹脂製の壁部を容易に削られないようにし、不正を防止する効果もある。【選択図】　図１
2004113819.tif 000002
【特許請求の範囲】
【請求項１】
制御ボックスの開口部位に開口部位封止構造を採用した遊技機であって、
　同開口部位封止構造は、開閉可能な開口部位の一方にはネジ穴を形成しつつ、他方にはナットを保持するナット保持部を形成し、同ナット保持部にナットを固定した上で、上記ネジ穴にネジを貫通させつつ上記ナットに螺合して同開口部位を固定するにあたり、
　上記ナット保持部における上記ナットの固定位置よりも奥方には上記ネジの先端に対面するように金属製の略テーパー部位を形成し、上記ネジの先端は同略テーパー部位に当接したときに径方向外方に屈曲される屈曲部位を形成していることを特徴とする遊技機。
【発明の詳細な説明】
【技術分野】
【０００１】
　本発明は、制御ボックスの開口部位に開口部位封止構造を採用した遊技機に関する。
【背景技術】
【０００２】
　パチンコ機などの遊技機においては、制御部などに不正な改造が施されることを防止するため、開閉可能な制御ボックスを容易には開閉できないように開口部位封止構造が採用されている。
　従来、この種の開口部位封止構造として、図２５と図２６に示すものが知られている。
【０００３】
　同図において、樹脂製の蓋体１と筺体本体２とからなる筺体が制御ボックスである。制御ボックスにおける開口縁部には四ヶ所に開口部位封止構造が形成されている。開口部位封止構造は蓋体１の側の突出片１ａと、筺体本体２の側のナット保持部２ａとから構成されている。
　図２６に示すように、突出片１ａにはネジ３を貫通させる貫通穴１ａ１が形成されている。このネジ３の軸部は、先端にのみ雄ネジ部３ｂが形成されており、その途中には雄ネジを形成していない延長部３ａとなっている。一方、ナット保持部２ａには内周面に雌ネジ部４ａを形成した筒状のインサートナット４が嵌入されており、このインサートナット４の長さは概ね上記延長部３ａよりも僅かに短めとしてあるとともに、インサートナット４のさらに奥側にはドーナツ状の板バネ部材５が挿入されている。
【０００４】
　上記構成において、筺体本体２に蓋体１を位置合わせし、上記突出片１ａと上記ナット保持部２ａとが重なり合ったら、突出片１ａの貫通穴１ａ１に対してネジ３を挿入していき、上記インサートナット４に螺合させる。ネジ３を回転していくと、雄ネジ部３ｂはインサートナット４の雌ネジ部４ａに螺合していくが、ネジ３には延長部３ａが形成してあるので、ある時点で同雄ネジ部３ｂはインサートナット４を貫通する。また、貫通した時点で雄ネジ部３ｂは板バネ部材５をも貫通し、同板バネ部材５にて奥方向に付勢される。そして、貫通直後の状態が筺体本体２と蓋体１とが密閉された状態となる。
【０００５】
　この後、筺体本体２から蓋体１を外そうとして、ネジ３を逆方向に回転させても、雄ネジ部３ｂは板バネ部材５にて奥方向に付勢されているのでインサートナット４の雌ネジ部４ａに螺合しない。このため、ネジ３を外すことはできず、筺体本体２から蓋体１を外すことはできない。必要に応じて開口する唯一の手法は、樹脂製の突出片１ａとナット保持部２ａのいずれかあるいは両方を破断させることである。図示した制御ボックスの場合、四対の開口部位封止構造が備えられており、メインテナンスの必要で開口しなければならない場合に対応している。
【発明の開示】
【発明が解決しようとする課題】
【０００６】
　上述した従来の開口部位封止構造においては、作業の際に締め込み不足が発生すると、逆方向に回して取り外せる余地があった。また、ナット保持部の裏側が樹脂製の壁材しか配置されておらず、この部位を破壊してネジ３を手前側に付勢しつつ逆回転させると、ネジ３を外せる可能性があった。この場合、裏側だけを破壊するので前面からは破壊されていることが容易に分からず、長期にわたって不正を発見できないことがあった。
【０００７】
　本発明は、上記課題にかんがみてなされたもので、不正な改造を施しにくくすることが可能な開口部位封止構造を採用した遊技機の提供を目的とする。
【課題を解決するための手段】
【０００８】
　上記目的を達成するため、請求項１にかかる発明は、制御ボックスの開口部位に開口部位封止構造を採用した遊技機であって、同開口部位封止構造は、開閉可能な開口部位の一方にはネジ穴を形成しつつ、他方にはナットを保持するナット保持部を形成し、同ナット保持部にナットを固定した上で、上記ネジ穴にネジを貫通させつつ上記ナットに螺合して同開口部位を固定するにあたり、上記ナット保持部における上記ナットの固定位置よりも奥方には上記ネジの先端に対面するように金属製の略テーパー部位を形成し、上記ネジの先端は同略テーパー部位に当接したときに径方向外方に屈曲される屈曲部位を形成した構成としてある。
【０００９】
　上記のように構成した請求項１にかかる発明においては、開口部位における一方の側に形成した上記ナット保持部におけるナットの固定位置よりも奥方には上記ネジの先端に対面するように金属製の略テーパー部位を形成してある。従って、同開口部位における他方の側から上記ネジを螺合していくと、当該ネジの先端に形成した屈曲部位は同略テーパー部位に突き当たり、さらに螺合していくと径方向外方に屈曲される。これにより、以後、ネジを逆方向に回転させたとしても同屈曲部位がナットに当たるので邪魔になり、螺合を解除することができなくなる。
【００１０】
　また、螺合を解除するためには屈曲部位を戻したり切除する必要があるが、ナット保持部の奥側には金属製の略テーパー部位が配置されている。従って、裏側の樹脂壁を破損することはできても、この金属製の略テーパー部位は容易には破損できず、無理に破損させようとすれば周囲の部分にも影響を及ぼして前面から発見できてしまうようになる。
　さらに、ネジを逆方向に回転させるためにはネジの先端の屈曲部位を元に戻さないと螺合を解除することはできないが、そのためには上記金属製の略テーパー部位のみならず、他の部分をも破損しなければならない。そして、そのように大規模な破損となれば、前面の側から視認できないようにすることは不可能であるから、実質的に不正は困難となる。
【００１１】
　なお、本発明は上記構成に限られるものではなく、以下の手段を含むものである。
　手段１
　上記ネジ頭部にはワンウェイ切り溝を形成することも可能である。
　ネジ頭部にワンウェイ切り溝を形成してあると、逆方向へ回転させること自体が困難である上、上記のように屈曲部位が邪魔になる状況では解除するための回転力を伝達することが極めて困難となる。
　手段２
　略テーパー部位は、突き当てられた屈曲部位を径方向外方に屈曲させるものである。従って、その形態は各種のものを採用可能である。
【００１２】
　このため、上記略テーパー部位は、球面となるように構成してもよい。
　上記のように構成した発明においては、上記略テーパー部位は、球面であるため、ネジの先端に形成した屈曲部位が同球面に突き当たれば、自ずから側方へと誘導されて屈曲される。
　手段３
　このような球面を配置する簡易な構成として、上記球面は、球体の一部で構成してもよい。
　すなわち、球体には方向性がないので、ナット保持部に挿入しておけば、ネジに対面して常に球面が配置されることになる。
【００１３】
　手段４
　むろん、略テーパー部位は球面である必要はなく、上記略テーパー部位を、円錐形で構成してもよい。
　上記のように構成した発明においては、円錐形とした略テーパー部位がネジに対面しており、屈曲部位は円錐形としたテーパー形状に沿って外方に屈曲されていく。
　手段５
　一方、屈曲部位は、屈曲されることにより、螺合を解こうとする回転に抗するようなものであればよく、上記屈曲部位が上記ネジの先端に形成した連続した周面の筒型壁部を有する構成としてもよい。
【００１４】
　上記のように構成した発明においては、上記ネジの先端に形成した連続した周面を有する筒型壁部が上記略テーパー部位に突き当てられると、当該筒型壁部が割かれて押し開かれる。このため、ネジを逆方向に回転させて螺合を解こうとしても、割かれた部位がナットを通過できないので邪魔になる。
　筒型壁部は押し開かれるような形状であればよいので、外形や内形の形状は特に限定されるものではなく、例えば円筒状であったり、六角形状であったりしても良い。また、内形と外形が異なるようにしても良い。また、壁部の肉厚も開口端側ほど薄肉となるようにしてもよい。
【００１５】
　手段６
　筒型壁部は割かれることになるので、割けやすくする構成としてもよく、その一例として、上記筒型壁部の周面に切り欠き溝を有する構成としてもよい。
　上記のように構成した発明においては、筒型壁部の周壁に応力がかかると、周面に形成した切り欠き溝に集中し、同切り欠き溝部分から割け始める。従って、割きたい形状を想定して切り欠き溝を形成しておくことにより、予定通りに割くことが可能となる。また、切り欠き溝といっても、貫通したスリット状としても同等の機能を発するようにできる。
【００１６】
　手段７
　また、屈曲部位のさらなる他の変形例として、上記屈曲部位が上記ネジの先端周縁部位から突出する非連続の凸部を有する構成としてもよい。
　上記のように構成した発明においては、上記ネジの先端周縁部位から非連続の凸部が突出しており、上記テーパー部位に当接してからもネジが回転すると、同凸部はテーパー部位の傾斜面に突き当たって外方に屈曲される。
　手段８
　また、凸部の一例として、上記屈曲部位が上記ネジの先端にて偏心位置に形成された偏心ピンで構成してもよい。
【００１７】
　上記のように構成した発明においては、上記ネジの先端にて偏心位置に偏心ピンが形成されているので、同偏心ピンは必ずテーパー部位における傾斜面に突き当たることになり、外方に屈曲される。
　手段９
　また、この開口部位封止構造は、各種の遊技機に適用可能であり、遊技機の一例として、パチンコ機に適用し、当該開口部位封止構造が、同パチンコ機の遊技領域における背面側から視認できる位置に配置する構成とする。
【００１８】
　パチンコ機は、営業時間中を含めて頻繁に開いてその背面側が目に触れるものである。このため、同開口部位封止構造が背面側から視認できる位置にあることによって不正を防止できる。
　パチンコ機のような遊技機では、ゲーム内容に対応する遊技プログラムを記録したＩＣが制御ボックスに収容され、当該ＩＣの内容を書き換える不正が行われる可能性がある。このため、同制御ボックスに本発明の開口部位封止構造を適用することにより、不正を未然に防ぐことができる。
【００１９】
　手段１０
　また、上記遊技機はスロットマシンであり、この開口部位封止構造を遊技機の制御ボックスに適用する場合、当該制御ボックスは同スロットマシンの内部あるいは背面側に配置され、同スロットマシンを開いたときに同開口部位封止構造を容易に視認できる位置に配置した構成とする。
　スロットマシンも、営業時間中を含めて頻繁に開いてその背面側が目に触れるものである。このため、同開口部位封止構造が背面側から視認できる位置にあることによって不正を防止できる。
【００２０】
　手段１１
　また、上記遊技機はパチロットであり、この開口部位封止構造を遊技機の制御ボックスに適用する場合、当該制御ボックスは同パチロットの内部あるいは背面側に配置され、同パチロットを開いたときに同開口部位封止構造を容易に視認できる位置に配置した構成とする。
　パチロットは、メダルの代わりに一定数のパチンコ球を使用して絵合わせを行うパチンコ機とスロットマシンの両方の特徴を備えた遊技機である。このようなパチロットも、営業時間中を含めて頻繁に開いてその背面側が目に触れるものである。このため、同開口部位封止構造が背面側から視認できる位置にあることによって不正を防止できる。
【発明の効果】
【００２１】
　以上説明したように本発明は、螺合を解くことを防止し、不正を防止しやすくすることが可能な開口部位封止構造を採用した遊技機を提供することができる。　そして、遊技機の制御ボックスに適用することにより、遊技プログラムを記録したＩＣの内容を書き換える不正を未然に防ぐことができる。
　また、手段１にかかる発明によれば、ネジ頭部にはワンウェイ切り溝を形成することにより、逆方向へ回転させること自体が困難であるとともに、解除するための回転力を伝達することが極めて困難となるので、封止を解除することをより有効に防止できる。
【００２２】
　さらに、手段２にかかる発明によれば、略テーパー部位が球面なので、芯合わせが不要となり、装着が容易となる。
　さらに、手段３にかかる発明によれば、略テーパー部位が球形の部材を利用するため、方向性が全くなく、装着が容易となる。
　さらに、手段４にかかる発明によれば、略テーパー部位を円錐形として形成することができる。
　さらに、手段５にかかる発明によれば、屈曲部位を筒型として形成するので、通常のネジの形状を大きく変更することなく形成することが可能となる。
【００２３】
　さらに、手段６にかかる発明によれば、周面の切り欠き溝で割け方を自由に調整することができる。
　さらに、手段７にかかる発明によれば、ネジの先端周縁部位に凸部を形成するだけの比較的簡易な形状とすることができる。
　さらに、手段８にかかる発明によれば、偏心位置にピンを形成するだけなので、簡易な形状で実現できる。
　さらに、手段９にかかる発明によれば、パチンコ機の遊技領域における背面側から視認でき、営業時間中を含めて頻繁に開かれるので目に触れ易く、早期に発見して不正に基づく損失を最小限とすることができるし、未然に不正を防止できる。
【００２４】
　さらに、手段１０にかかる発明によれば、スロットマシンの内部に配置されつつ、同スロットマシンを開いたときに視認できるので、早期に発見して不正に基づく損失を最小限とすることができるし、未然に不正を防止できる。
　さらに、手段１１にかかる発明によれば、パチロットの内部に配置されつつ、同パチロットを開いたときに視認できるので、早期に発見して不正に基づく損失を最小限とすることができるし、未然に不正を防止できる。
【発明を実施するための最良の形態】
【００２５】
　以下、図面にもとづいて本発明の実施形態を説明する。
図１は、本発明の一実施形態にかかる開口部位封止構造を概略断面図により示している。
　同図において、蓋体の突出片１０にはネジ穴１１を形成してあり、同ネジ穴１１の周辺は円形の凹部１２が形成され、さらに、当該凹部１２の周縁から円筒状の壁部１３を立設してある。
　一方、筺体のナット保持部２０は段階的に開口部が狭くなるように形成してあり、以後、参照の便宜のため、最も開口径の大きい第一開口部２１と、中間の径の第二開口部２２と、最奥部の第三開口部２３と呼ぶ。
【００２６】
　図２は、ネジ３０を一部破断図により示している。
　ネジ３０の頭部３１には、図３に示すようなプラスのワンウェイ切り溝３１ａを形成している。このワンウェイ切り溝３１ａはねじ込み方向には回転方向と垂直な壁面を有しているもの、反対方向には回転方向に沿って傾斜面となっている。このため、ドライバーで螺合しようとするときには、締結方向に回転すると垂直な壁面に回転力が伝わるものの、緩める方向に回転するときには同傾斜面に当接してドライバーを軸方向に押し戻してしまうことになり、必要な回転力を伝えられなくなっている。なお、図４に示すようなマイナスのワンウェイ切り溝３１ｂとしても良い。
【００２７】
　ネジ３０の軸部３２は、周面に雄ネジが形成された雄ネジ部３２ａと、雄ネジ部３２ａよりも外形を僅かに狭めつつ内部をくりぬいた筒型壁部３２ｂとから構成されている。
　図５は同筒型壁部３２ｂを開口端側から見た図であり、筒型壁部３２ｂは円筒状に形成されているとともに壁部の肉厚は一定としている。しかし、図６と図７に示すように壁部については奥側へ向かうほど肉厚が厚くなるように形成したり、図８と図９に示すように開口形状を六角形にしたりしてもよい。
【００２８】
　図１０はインサートナット４０を断面図により示している。同インサートナット４０は、挿入端側にフランジ部４１を有するとともに、内周面に上記雄ネジ部３２ａと螺合可能な雌ネジを形成した雌ネジ部４２を有している。ここで、同フランジ部４１の長さは上記ナット保持部における第一開口部２１の奥行き方向長さに対応し、上記雌ネジ部４２の長さは上記第二開口部２２の奥行き方向長さに対応している。なお、雌ネジ部４２の内周面には雌ネジが軸方向にわたって全面に形成されているのではなく、上記フランジ部４１の側から所定距離分の雌ネジを形成した部位４２ａと、残りの一定距離部分の雌ネジを形成していない部位４２ｂとから構成されている。また、当該雌ネジ部４２の外周面には凹凸を形成して上記第二開口部２２内に嵌入したときに容易に抜け出ないようにしてある。
【００２９】
　ナット保持部２０における最奥部の第三開口部２３には鋼球５０が収容されている。同第三開口部２３は当該鋼球５０を収容しつつ、僅かに奥行き方向に対して余裕がある程度の深さとなっている。
　次に、上記構成からなる本実施形態の動作を説明する。
まず、図１１に示すようにナット保持部２０の第三開口部２３内に鋼球５０を収容し、さらに、インサートナット４０を嵌入する。インサートナット４０は雌ネジ部４２の外周面に形成した凹凸によって第二開口部２２に対して嵌入されて容易には抜け出ない。また、フランジ部４１は第一開口部２１に入り込んでいる。従って、上記第一開口部２１と第二開口部２２は本発明のナット固定位置に該当する。
【００３０】
　この後、蓋体を筺体本体に対して装着させると、突出片１０とナット保持部２０とが位置合わせされる。そして、ネジ３０をその筒型壁部３２ｂの側から突出片１０におけるネジ穴１１に挿入し、さらに雄ネジ部３２ａにてインサートナット４０における雌ネジ部４２内周面の雌ネジに螺合させる。このとき、プラスのドライバーの先端を上記ワンウェイ切り溝３１ａに入り込ませて回転させるが、締結方向に回転させることになるのでネジ３０は順調に螺合していく。
【００３１】
　ネジ３０を回転させていくと、やがて筒型壁部３２ｂの先端がインサートナット４０を突き抜け、鋼球５０に当接する。さらにネジ３０を回転させると、筒型壁部３２ｂは同鋼球５０の球面表面に押し当てられることになり、やがて筒状の壁部が割かれて押し開かれる。この状態を図１３および図１４に示している。
　図１４に示すように筒型壁部３２ｂが鋼球５０の球面表面に沿って押し開かれると、ネジ３０を緩めようとして逆回転させるときに押し開かれた壁部の先端側がインサートナット４０における開口端に突き当たるので、容易には逆回転させにくい。さらに、頭部３１の切り溝はワンウェイ切り溝３１ａとなっているので、力を掛けようとしてもドライバーは空回りしてしまい、ネジ３０を緩めることは実質的に不可能となる。
【００３２】
　なお、壁部の押し開かれ方は、理想的には図１４に示すように鋼球５０の球面表面に沿って均等に押し開かれることであるが、図１５に示すように押し開かれ方がいびつになる場合でも効果は変わらない。
　また、ナット保持部２０に対して裏側からヤスリなどで削ろうとするとき、樹脂製の壁部は削ることができても鋼球５０に突き当たってしまい、それ以上は削ることができなくなる。
　なお、鋼球５０は本発明の略テーパー部位に該当するが、必ずしも球体である必要はなく、球体の一部であったり、図１６に示すように円錐形部材５１で構成することもできる。
【００３３】
　筒型壁部３２ｂは本発明の屈曲部位に該当するが、その周面には図１７と図１８に示すような切り欠き溝３２ｂ１を形成しても良い。この切り欠き溝３２ｂ１は開口端側から壁部の厚みを薄くするように形成されており、上述したように筒型壁部３２ｂが鋼球５０に対して押し当てられたときに応力が当該切り欠き溝３２ｂ１に集中することによって押し開かれやすくなる。すなわち、筒型壁部３２ｂが押し開かれる際の形状を一定とすることができ、解除するのに要する反転トルクを一定にして品質を向上させることになる。むろん、押し開く際に要するトルクも小さくなるので、作業性も向上する。
【００３４】
　さらに、屈曲部位としては必ずしも筒型としなければならないわけではなく、図１９と図２０に示すように屈曲部位として非連続の凸部３２ｃを形成している。この例では三本の凸部３２ｃを形成してあり、鋼球５０や円錐形部材５１に突き当たったときに外側に屈曲され、ネジ３０を緩める際にインサートナット４０の開口端部に当接して邪魔になる。なお、三本の凸部３２ｃの長さを異にしておくと、鋼球５０に突き当たるタイミングが同時でなくなり、屈曲せしめるのに要するトルクが小さくなって作業がしやすくなる。また、筒型とするのに比べて単なる凸部であるので形成しやすい。
【００３５】
　また、凸部を形成するのと同様に、図２１と図２２に示すようにして単に偏心位置にピン３２ｄを突出させるだけでも鋼球５０などの略テーパー部位に当接したときには外方に屈曲されるので、ネジ３０を緩める際の妨げとさせることができる。そして、形状が単純であるので形成しやすい。
　なお、図２３はパチンコ機を背面図により示しており、本開口部位封止構造を適用した制御ボックスが背面側から視認できるように装着されている。
【００３６】
　パチンコ遊技機６０の背面側には矩形箱形の制御ボックス７０が装着されている。ここで、同制御ボックス７０は長辺の一辺に形成した蝶番機構にて蓋体と筺体とが開閉可能になっており、両方の短辺には本開口部位封止構造が採用されている。すなわち、蓋体の突出片１０と筺体のナット保持部２０はそれぞれ蓋体と筺体の短辺にそれぞれ４対ずつ形成されており、封止可能となっている。むろん、必要に応じて開口させることもできる。図に示すように、パチンコ機６０の背面側から直に視認できる位置に配設されているため、メンテナンスのためにパチンコ機６０を開いたときには容易に視認できる。従って、制御ボックス７０内に手を加えるなどのために突出片１０やナット保持部２０を破損させれば、次のメンテナンス時にはすぐに見つかってしまう。
【００３７】
　まず、図２４はスロットマシン（パチスロ）８０の背面を示している。同スロットマシン８０の背面側にも矩形箱形の制御ボックス９０が装着されている。ここで、同制御ボックス９０は図示しない蝶番機構にて蓋体と筺体とが開閉可能になっており、両方の短辺には本開口部位封止構造が採用されている。すなわち、蓋体の突出片１０と筺体のナット保持部２０はそれぞれ蓋体と筺体の短辺にそれぞれ４対ずつ形成されており、封止可能であるし、必要に応じて開口させることもできる。
【００３８】
　同図に示すように、スロットマシン８０の背面側にも制御ボックス９０が装着され、メンテナンスのためにスロットマシン８０を開いたときには容易に開口部位封止構造を視認できる。従って、制御ボックス９０内に手を加えるなどのために突出片１０やナット保持部２０を破損させれば、次のメンテナンス時にはすぐに見つかってしまう。
　図示していないが、パチロットにも同様に適用可能である。パチロットは、メダルの代わりにパチンコ遊技球を利用するものであり、例えば、パチンコ球の５個がメダル１個に相当して遊技を楽しむことができる。
【００３９】
　このように、蓋体の一部となる突出片１０と、筺体本体の一部となるナット保持部２０とは、筺体本体に蓋体を装着したときに対面するように形成されており、ナット保持部２０に鋼球５０を収容しつつインサートナット４０を嵌入せしめた状態で、先端に屈曲部位としての筒型壁部３２ｂを形成したネジ３０を螺合していくと、同筒型壁部３２ｂが鋼球５０に突き当てられて押し開かれるため、ネジ３０を緩めようとするときには大きなトルクを要するようになり、かつ、ネジ３０の頭部３１にはワンウェイ切り溝３１ａを形成しているので十分なトルクがかけられず、実質的にネジ３０を緩めることはできない。また、鋼球５０は樹脂製の壁部を容易に削られないようにし、不正を防止する効果もある。
【図面の簡単な説明】
【００４０】
【図１】本発明の一実施形態にかかる開口部位封止構造の概略断面図である。
【図２】ネジの側面図である。
【図３】ネジの平面図である。
【図４】変形例にかかるネジの平面図である。
【図５】ネジの底面図である。
【図６】変形例にかかるネジの先端の断面図である。
【図７】同変形例にかかるネジの先端の底面図である。
【図８】他の変形例にかかるネジの先端の断面図である。
【図９】同変形例にかかるネジの先端の底面図である。
【図１０】ナットの断面図である。
【図１１】ナット保持部の組付過程の概略断面図である。
【図１２】突出片とナット保持部の組付過程の概略断面図である。
【図１３】突出片とナット保持部の組付完了時の概略断面図である。
【図１４】筒型壁部の変形状況を示す概略断面図である。
【図１５】筒型壁部の他の変形状況を示す概略断面図である。
【図１６】略テーパー部位の変形例を示す図である。
【図１７】ネジにおける筒型壁部の変形例を示す側面図である。
【図１８】ネジにおける筒型壁部の同変形例を示す底面図である。
【図１９】ネジにおける屈曲部位の変形例を示す側面図である。
【図２０】ネジにおける屈曲部位の同変形例を示す底面図である。
【図２１】ネジにおける屈曲部位の他の変形例を示す側面図である。
【図２２】ネジにおける屈曲部位の同変形例を示す底面図である。
【図２３】本開口部位封止構造を適用した制御ボックスを使用するパチンコ機の背面図である。
【図２４】本開口部位封止構造を適用した制御ボックスを使用するスロットマシンの背面図である。
【図２５】従来の開口部位封止構造が適用される制御ボックスの外観を示す斜視図である。
【図２６】従来の開口部位封止構造の概略断面図である。
【符号の説明】
【００４１】
１０…突出片 
２０…ナット保持部 
３０…ネジ 
３１ａ，３１ｂ…ワンウェイ切り溝 
３２ａ…雄ネジ部 
３２ｂ…筒型壁部 
３２ｂ１…切り欠き溝 
３２ｃ…凸部 
３２ｄ…ピン 
４０…インサートナット 
４２…雌ネジ部 
５０…鋼球 
５１…円錐形部材 
６０…パチンコ機
７０…制御ボックス
８０…スロットマシン
９０…制御ボックス
【図１】
2004113819.tif 000003
【図２】
2004113819.tif 000004
【図３】
2004113819.tif 000005
【図４】
2004113819.tif 000006
【図５】
2004113819.tif 000007
【図６】
2004113819.tif 000008
【図７】
2004113819.tif 000009
【図８】
2004113819.tif 000010
【図９】
2004113819.tif 000011
【図１０】
2004113819.tif 000012
【図１１】
2004113819.tif 000013
【図１２】
2004113819.tif 000014
【図１３】
2004113819.tif 000015
【図１４】
2004113819.tif 000016
【図１５】
2004113819.tif 000017
【図１６】
2004113819.tif 000018
【図１７】
2004113819.tif 000019
【図１８】
2004113819.tif 000020
【図１９】
2004113819.tif 000021
【図２０】
2004113819.tif 000022
【図２１】
2004113819.tif 000023
【図２２】
2004113819.tif 000024
【図２３】
2004113819.tif 000025
【図２４】
2004113819.tif 000026
【図２５】
2004113819.tif 000027
【図２６】
2004113819.tif 000028